(57)【特許請求の範囲】
【請求項１】
圧縮された画像データを第１の伝送経路を介して送信するデータ通信手段と、
前記画像データをデコードして生成された画像信号を第２の伝送経路を介して送信する画像送信手段と、
前記画像データの特性に基づく第１の所定条件に応じて、前記データ通信手段により前記画像データを送信するように制御し、前記画像データの他の特性に基づく第２の所定条件に応じて、前記画像送信手段により前記画像信号を送信するように制御する制御手段とを備え、
前記第１の所定条件または前記第２の所定条件に応じて、前記第１の伝送経路を介した送信と前記第２の伝送経路を介した送信が切り替えられる、デジタルカメラ機能を備えた画像送信装置。
【請求項２】
前記制御手段は、前記第１の伝送経路を介したデータ通信処理及び前記第２の伝送経路を介した画像送信処理を同時に実行することを特徴とする請求項１に記載の画像送信装置。
【請求項３】
前記データ通信手段は、圧縮画像データ及び非圧縮画像データのうちの少なくとも一方を送信する手段を備え、
前記画像送信手段は、動画信号を送信する手段を備える
ことを特徴とする請求項１に記載の画像送信装置。
【請求項４】
前記データ通信手段は、前記画像データのオリジナルの第１の画質を保持したまま、前記画像データを送信する手段を備え、
前記画像送信手段は、前記第１の画質と異なる第２の画質の画像信号を送信する手段を備える
ことを特徴とする請求項１に記載の画像送信装置。
【請求項５】
前記データ通信手段は、前記画像データの送信先機器を認証し、前記送信先機器の宛先情報に基づき前記画像データを送信する手段を備え、
前記画像送信手段は、指定解像度の画像信号を送信する手段を備える
ことを特徴とする請求項１に記載の画像送信装置。
【請求項６】
前記制御手段は、前記画像データの画質に応じて、データ通信処理及び画像送信処理のうちの一方の処理を優先的に実行することを特徴とする請求項１に記載の画像送信装置。
【請求項７】
前記制御手段は、高画質化処理要求に応じて、データ通信処理及び画像送信処理のうちの少なくとも一方の処理を実行することを特徴とする請求項１に記載の画像送信装置。
【請求項８】
前記制御手段は、高速処理要求に応じて、データ通信処理及び画像送信処理を実行することを特徴とする請求項１に記載の画像送信装置。
【請求項９】
圧縮された画像データを第１の伝送経路を介して送信する第１のデータ通信手段と、前記画像データをデコードして生成された画像信号を第２の伝送経路を介して送信する画像送信手段と、前記画像データの特性に基づく第１の所定条件に応じて前記データ通信手段により前記画像データを送信するように制御し、前記画像データの他の特性に基づく第２の所定条件に応じて前記画像送信手段により前記画像信号を送信するように制御する第１の制御手段とを備え、前記第１の所定条件または前記第２の所定条件に応じて前記第１の伝送経路を介した送信と前記第２の伝送経路を介した送信が切り替えられるように構成されたデジタルカメラに接続可能な画像受信装置であって、
前記第１の伝送経路を介して前記画像データを受信する第２のデータ通信手段と、
前記第２の伝送経路を介して前記画像信号を受信する画像受信手段と、
前記画像データの特性に応じて、前記第２のデータ通信手段により前記画像データを受信するデータ通信処理、及び前記画像受信手段により前記画像信号を受信する画像受信処理のうちの少なくとも一方の処理を実行し、前記画像データ及び前記画像信号のうちの少なくとも一方を受信するように制御する第２の制御手段と、
を備えた画像受信装置。
【請求項１０】
前記制御手段は、高速処理要求に応じて、前記データ通信処理及び前記画像受信処理を実行することを特徴とする請求項９に記載の画像受信装置。
【請求項１１】
圧縮された画像データを第１の伝送経路を介して送信し、前記画像データをデコードして生成された画像信号を第２の伝送経路を介して送信する方法であって、
前記画像データの特性に基づく第１の所定条件に応じて前記画像データを送信し前記画像データの他の特性に基づく第２の所定条件に応じて前記画像信号を送信する制御を行う方法において、
前記第１の所定条件または前記第２の所定条件に応じて、前記第１の伝送経路を介した送信と前記第２の伝送経路を介した送信が切り替えられる
画像送信方法。
【請求項１２】
圧縮された画像データを第１の伝送経路を介して送信し、前記画像データをデコードして生成された画像信号を第２の伝送経路を介して送信し、前記画像データの特性に基づく第１の所定条件に応じて前記画像データを送信し前記画像データの他の特性に基づく第２の所定条件に応じて前記画像信号を送信する制御を行うものであって、前記第１の所定条件または前記第２の所定条件に応じて前記第１の伝送経路を介した送信と前記第２の伝送経路を介した送信が切り替えられるように構成されたデジタルカメラと併用可能な方法であって、
前記第１の伝送経路を介して前記画像データを受信し、
前記第２の伝送経路を介して前記画像信号を受信し、
前記画像データの特性に応じて、前記画像データを受信するデータ通信処理、及び前記画像信号を受信する画像受信処理のうちの少なくとも一方の処理を実行し、前記画像データ及び前記画像信号のうちの少なくとも一方を受信するように制御する
画像受信方法。
【発明の詳細な説明】
【技術分野】
【０００１】
本発明は、画像を送信する画像送信装置及び画像送信方法に関する。また、本発明は、画像を受信する画像受信装置及び画像受信方法に関する。
【背景技術】
【０００２】
近年、High-Definition Multimedia Interface(ＨＤＭＩ)を搭載したデジタル機器が普及している。例えば、パーソナルコンピュータ(PC)とテレビ受信機を１本のＨＤＭＩケーブルで接続し、ＨＤＭＩケーブルのTMDSチャンネルを用いてPCからTVへ映像信号を送信し、またＨＤＭＩケーブルの高速データライン（例えば、リザーブライン、ＨＰＤライン）を用いてTVからPCへストリームデータを送信する技術が開示されている（特許文献１参照）。
【先行技術文献】
【特許文献】
【０００３】
【特許文献１】特開２００９−８８９９７号公報
【発明の概要】
【発明が解決しようとする課題】
【０００４】
ＨＤＭＩは、高画質映像（動画）の伝送に適しており、高画質映像を劣化させることなく伝送することができる。しかしながら、ＨＤＭＩは、伝送する解像度が定められた種類に限定されておりデジタルカメラなどで撮影された1000万画素等の高解像度静止画像をそのまま伝送することができない。
【０００５】
例えば、高解像度静止画像を伝送する場合、送信側機器は、高解像度静止画像を伝送可能な解像度にダウンコンバートして生成された解像度変換静止画像を映像（動画）として伝送する。ＨＤＭＩを介して、解像度変換静止画を受信した受信装置は、解像度変換静止画をそれ自身の画面解像度に合わせた高解像度静止画にアップコンバートし出力する。
【０００６】
このように、ＨＤＭＩを介して高解像度静止画像を伝送しようとすると、ダウンコンバート及びアップコンバートが介在することがあり、これらダウンコンバート及びアップコンバートが画質劣化の原因になることがある。
【０００７】
上記したように、ＨＤＭＩ等の１つの伝送手段には、メリットだけでなく、デメリットも存在し得る。
【０００８】
本発明の目的は、一つの伝送手段のメリットを生かしつつ、その一つの伝送手段のデメリットを補い、画像を送信することが可能な画像送信装置及び画像送信方法を提供することにある。また、本発明の目的は、一つの伝送手段のメリットを生かしつつ、その一つの伝送手段のデメリットを補い、画像を受信することが可能な画像受信装置及び画像受信方法を提供することにある。
【課題を解決するための手段】
【０００９】
本発明の一実施形態に係る画像送信装置は、画像データを送信するデータ通信手段と、前記画像データをデコードして生成された画像信号を送信する画像送信手段と、前記画像データの特性に応じて、前記データ通信手段により画像データを送信するデータ通信処理、及び前記画像送信手段により画像信号を送信する画像送信処理のうちの少なくとも一方の処理を実行し、前記画像データ及び前記画像信号のうちの少なくとも一方を送信するように制御する制御手段と、を備える。
【００１０】
本発明の一実施形態に係る画像送信方法は、前記画像データの特性に応じて、画像データを送信するデータ通信処理、及び前記画像データをデコードして生成された画像信号を送信する画像送信処理のうちの少なくとも一方の処理を実行し、前記画像データ及び前記画像信号のうちの少なくとも一方を送信する。
【発明の効果】
【００１１】
本発明によれば、一つの伝送手段のメリットを生かしつつ、その一つの伝送手段のデメリットを補い、画像を送信することが可能な画像送信装置及び画像送信方法を提供できる。また、本発明によれば、一つの伝送手段のメリットを生かしつつ、その一つの伝送手段のデメリットを補い、画像を受信することが可能な画像受信装置及び画像受信方法を提供できる。
【図面の簡単な説明】
【００１２】
【図１】本発明の一実施形態に係る画像送受信システムの概略構成を示す図である。
【図２】デジタルカメラ及びテレビの概略構成を示すブロック図である。
【図３】画像出力処理の一例を示すフローチャートである。
【図４】ＨＤＭＩケーブルを介して静止画像を送信するときの画質変換を示す図である。
【発明を実施するための形態】
【００１３】
以下、図面を参照し、本発明の実施形態について説明する。
【００１４】
図１は、本発明の一実施形態に係る画像送受信システムの概略構成を示す図である。
【００１５】
図１に示すように、画像送受信システムは、画像送信装置（又は画像受信装置）の一例のデジタルカメラ１、及び画像受信装置（又は画像送信装置）の一例のテレビ２により構成される。本発明の画像送信装置（又は画像受信装置）は、デジタルカメラ１だけに限定されるものではなく、例えば、パーソナルコンピュータ、又は携帯電話であってもよい。
【００１６】
デジタルカメラ１は、複数の伝送経路によりテレビ２と接続可能に構成されている。例えば、デジタルカメラ１及びテレビ２は映像送受信手段（例えばＨＤＭＩ）を備え、ケーブル（第１の伝送経路）３を介してデジタルカメラ１からテレビ２へ、又はテレビ２からデジタルカメラ１へ映像を送受信することができる。さらに、デジタルカメラ１及びテレビ２はデータ通信手段（例えばＬＡＮインターフェース）を備え、有線ＬＡＮ又は無線ＬＡＮ（第２の伝送経路）４を介してデジタルカメラ１からテレビ２へ、又はテレビ２からデジタルカメラ１へデータを送受信することができる。
【００１７】
図２は、デジタルカメラ１及びテレビ２の概略構成を示すブロック図である。
【００１８】
図２に示すように、デジタルカメラ１は、制御部１０１、ストレージ１０２、認証部１０３、デコード部１０４、データ通信部１０５、映像送受信部１０６、画像処理部１０９、不揮発性メモリ１１０を備えている。一方、テレビ２は、制御部２０１、ストレージ２０２、認証部２０３、デコード部２０４、データ通信部２０５、映像送受信部２０６、出力処理部２０７、表示デバイス２０８、画像処理部２０９、不揮発性メモリ２１０を備えている。
【００１９】
デジタルカメラ１の概要について説明する。制御部１０１は、データ通信部１０５による画像データ（圧縮画像データ及び非圧縮画像データのうちの少なくとも一方）の送受信、映像送受信部１０６による動画信号（画像信号（非圧縮画像信号））の送受信を制御する。ストレージ１０２は、画像データを蓄積する。認証部１０３は、データ通信部１０５による画像データの送受信の際に相手機器（例えばテレビ２）を認証し、相手機器を識別する識別情報（宛先情報）を取得する。デコード部１０４は、画像データをデコードして画像信号（非圧縮画像信号）を生成する。
【００２０】
データ通信部１０５は、例えば有線ＬＡＮ又は無線ＬＡＮに対応可能な通信手段であって、有線ＬＡＮ又は無線ＬＡＮを介して、相手機器の識別情報（宛先情報）に基づき画像データ（圧縮画像データ）を認証済みの相手機器（例えばテレビ２）へ送信したり、デジタルカメラ１の識別情報（宛先情報）に基づき相手機器から送信される画像データを受信したりする。また、データ通信部１０５は、画像データをオリジナルの画質を送受信することができる。言い換えれば、データ通信部１０５は、どのような画質の画像データであっても、そのまま送受信することができる。
【００２１】
映像送受信部１０６は、例えばＨＤＭＩに対応し、ＨＤＭＩケーブルを介して、デコードされた画像信号（非圧縮画像信号）を相手機器（例えばテレビ２）へ送信したり、相手機器から送信される画像信号（非圧縮画像信号）を受信したりする。また、映像送受信部１０６は、指定解像度（指定画質）の画像信号を送受信する。そのため、映像送受信部１０６は、データ通信部１０５により送受信される画像データのオリジナルの画質を維持できない場合があり、この場合、映像送受信部１０６により送受信される画像信号の画質は、データ通信部１０５により送受信される画像データの画質と異なる画質となる。
【００２２】
画像処理部１０９は、アップスケーリング処理、ダウンスケーリング処理、アップコンバート処理、及びダウンコンバート処理を実行することができる。これにより、画像のサイズを大きくしたり、小さくしたり、また画像の解像度を高くしたり、低くしたりすることができる。不揮発性メモリ１１０は、後述する条件設定を記憶する。
【００２３】
続いて、テレビ２の概要について説明する。制御部２０１は、データ通信部２０５による画像データの送受信、映像送受信部２０６による画像信号（非圧縮画像信号）の送受信を制御する。ストレージ２０２は、画像データを蓄積する。認証部２０３は、データ通信部２０５による画像データの送受信の際に相手機器（例えばデジタルカメラ１）を認証し、相手機器を識別する識別情報（宛先情報）を取得する。デコード部２０４は、画像データをデコードして画像信号（非圧縮画像信号）を生成する。
【００２４】
データ通信部２０５は、例えば有線ＬＡＮ又は無線ＬＡＮに対応可能な通信手段であって、有線ＬＡＮ又は無線ＬＡＮを介して、相手機器の識別情報（宛先情報）に基づき画像データ（圧縮画像データ）を認証済みの相手機器（例えばデジタルカメラ１）へ送信したり、デジタルカメラ１の識別情報（宛先情報）に基づき相手機器から送信される画像データ（圧縮画像データ）を受信したりする。また、データ通信部２０５は、画像データをオリジナルの画質を送受信することができる。言い換えれば、データ通信部２０５は、どのような画質の画像データであっても、そのまま送受信することができる。
【００２５】
映像送受信部２０６は、例えばＨＤＭＩに対応し、ＨＤＭＩケーブルを介して、デコードされた画像信号（非圧縮画像）を相手機器（例えばデジタルカメラ１）へ送信したり、相手機器から送信される画像信号（非圧縮画像）を受信したりする。また、映像送受信部２０６は、指定解像度（指定画質）の画像信号を送受信する。そのため、映像送受信部２０６は、データ通信部１０５により送受信される画像データのオリジナルの画質を維持できない場合があり、この場合、映像送受信部１０６により送受信される画像信号の画質は、データ通信部１０５により送受信される画像データの画質と異なる画質となる。
【００２６】
出力処理部２０７は、デコードされた画像信号（非圧縮画像信号）を表示デバイス２０８がサポートする出力形式へ変換する。表示デバイス２０８は、出力処理部２０７により変換された画像信号（非圧縮画像信号）に基づき画像を表示する。画像処理部２０９は、アップスケーリング処理、ダウンスケーリング処理、アップコンバート処理、ダウンコンバート処理を実行することができる。これにより、画像のサイズを大きくしたり、小さくしたり、また画像の解像度を高くしたり、低くしたりすることができる。不揮発性メモリ２１０は、後述する条件設定を記憶する。
【００２７】
例えば、デジタルカメラ１のストレージ１０２に蓄積された画像データをテレビ２の表示デバイス２０８で表示するためには、デジタルカメラ１の映像送受信部１０６が、ＨＤＭＩケーブルを介して、デコードされた画像信号（非圧縮画像）をテレビ２（映像送受信部２０６）へ送信する。
【００２８】
ＨＤＭＩケーブルを介して画像信号を送受信する場合、ＨＤＭＩの規格により送受信可能な解像度が定められている。例えば、デジタルカメラ１のストレージ１０２に、1000万画素を越える高解像度静止画像が蓄積されている場合、このような高解像度静止画像をオリジナルの画質のままＨＤＭＩケーブルで送信することはできない。
【００２９】
例えば、図４に示すように、デジタルカメラ１の画像処理部１０９は、高解像度静止画像（3600×4800）をダウンコンバートして第１解像度変換静止画像（540×720p）を生成し、映像送受信部１０６は、テレビ２に対して、ＨＤＭＩケーブルを介して、第１解像度変換静止画像（540×720p）を送信する。テレビ２の映像送受信部２０６は、デジタルカメラ１から、ＨＤＭＩケーブルを介して、第１解像度変換静止画像（540×720p）を受信する。高解像度で表示する場合には、テレビ２の画像処理部１０９は、第１解像度変換静止画像（540×720p）をアップコンバートして第２解像度変換静止画像（810×1080p）を生成し、テレビ２の表示デバイス２０８は、第２解像度変換静止画像（810×1080p）を表示する。
【００３０】
上記したように、ＨＤＭＩケーブルを介して高解像度静止画像を伝送しようとすると、ダウンコンバート及びアップコンバートが介在するため、これらダウンコンバート及びアップコンバートが画質劣化の原因になることがある。
【００３１】
ＨＤＭＩケーブルは、高画質映像（動画）の高速伝送に適しており、高画質映像を劣化させることなく伝送することができる。また、ＨＤＭＩ１．４の策定により、ＨＤＭＩケーブルによって映像信号及びＣＥＣだけではなくイーサネット（登録商標）による高速なデータ通信が可能となっている。しかしながら、上記したように、ＨＤＭＩケーブルは、1000万画素等の高解像度静止画像をオリジナルの画質のまま伝送することができない。
【００３２】
そもそも、デジタルカメラ１で撮影された画像データは、４：３の縦横比の画像データである。また、デジタルカメラ１を９０度回転させて撮影することもあり、この場合に撮影された画像データを表示する場合、画像データを９０度回転させて表示する。一方のテレビ２の表示デバイス２０８は、１６：９の縦横比の画像データに対応するように構成されている。また、ＨＤＭＩケーブルも、１６：９の縦横比の画像データ（動画データ）を送受信可能に構成されている。このように、デジタルカメラ１で一般的に扱われる画像データ（静止画像データ）の縦横比と、テレビ２で一般的に扱われる画像データ（動画像データ）の縦横比は異なる。
【００３３】
そこで、デジタルカメラ１の制御部１０１は、各種条件に応じて（例えば、画像データの特性、デジタルカメラ１の画像処理性能、デジタルカメラ１の通信性能、テレビの画像処理性能、テレビの通信性能に応じて）、データ通信部１０５により画像データを送信するデータ通信処理、及び映像送受信部１０６により画像信号を送信する画像送信処理のうちの少なくとも一方の処理を実行する。つまり、制御部１０１は、二つの伝送経路のうち少なくとも一方の伝送経路を使用し、画像データ及び画像信号のうちの少なくとも一方を相手機器（例えばテレビ２）へ送信するように制御する。
【００３４】
或いは、デジタルカメラ１の制御部１０１は、各種条件に応じて（例えば、画像データの特性、デジタルカメラ１の画像処理性能、デジタルカメラ１の通信性能、テレビの画像処理性能、テレビの通信性能に応じて）、データ通信部１０５により画像データを受信するデータ通信処理、及び映像送受信部１０６により画像信号を受信する画像受信処理のうちの少なくとも一方の処理を実行する。つまり、制御部１０１は、二つの伝送経路のうち少なくとも一方の伝送経路を使用し、画像データ及び画像信号のうちの少なくとも一方を相手機器（例えばテレビ２）から受信するように制御する。
【００３５】
同様に、テレビ２の制御部２０１は、各種条件に応じて（例えば、画像データの特性、デジタルカメラ１の画像処理性能、デジタルカメラ１の通信性能、テレビの画像処理性能、テレビの通信性能に応じて）、データ通信部２０５により画像データを送信するデータ通信処理、及び映像送受信部２０６により画像信号を送信する画像送信処理のうちの少なくとも一方の処理を実行する。つまり、制御部１０１は、二つの伝送経路のうち少なくとも一方の伝送経路を使用し、画像データ及び画像信号のうちの少なくとも一方を相手機器（例えばデジタルカメラ１）へ送信するように制御する。
【００３６】
或いは、テレビ２の制御部２０１は、各種条件に応じて（画像データの特性、デジタルカメラ１の画像処理性能、デジタルカメラ１の通信性能、テレビの画像処理性能、テレビの通信性能に応じて）、データ通信部２０５により画像データを受信するデータ通信処理、及び映像送受信部２０６により画像信号を受信する画像受信処理のうちの少なくとも一方の処理を実行する。つまり、制御部１０１は、二つの伝送経路のうち少なくとも一方の伝送経路を使用し、画像データ及び画像信号のうちの少なくとも一方を相手機器（例えばデジタルカメラ１）から受信するように制御する。
【００３７】
図３は、画像出力処理の一例を示すフローチャートである。ここでは、デジタルカメラ１からテレビ２へ画像を送信するケースについて説明する。また、ここでは、データ通信部１０５によるデータ通信処理を映像送受信部１０６による画像送信処理よりも優先し、データ通信処理が実行できる場合には画像送信処理を実行しない第１の条件が設定されているケースについて説明する。例えば、第１の条件は、不揮発性メモリ１１０に記憶され、ユーザの設定変更操作等により変更することができるものとする。
【００３８】
デジタルカメラ１の認証部１０３及びデータ通信部１０５は、テレビ２と通信し、テレビ２がデータ通信可能なことを確認したとする。つまり、認証部１０３及びデータ通信部１０５は、テレビ２と通信し、テレビ２を認証し、テレビ２の識別情報（宛先情報）を取得することができ（ＳＴ１０１、ＹＥＳ）、さらに、データ通信部１０５が、テレビ２の通信機能がデータ通信部１０５のデータ通信に対応していることを確認した場合（ＳＴ１０２、ＹＥＳ）、制御部１０１は、データ通信処理を実行する（ＳＴ１０３）。つまり、データ通信部１０５は、有線ＬＡＮ又は無線ＬＡＮを介して、テレビ２の識別情報（宛先情報）に基づき、画像データ（静止画像データ）をオリジナルの画質のままテレビ２へ送信する。テレビ２のデータ通信部２０５は、画像データを受信し、例えば、デコード部２０４は、画像データをデコードして画像信号を生成し、必要に応じて、画像処理部２０９が、画像信号を処理（ダウンコンバート、アップコンバート、ダウンスケール、又はアップスケール）し、表示デバイス２０８が、処理された画像信号に基づき画像を表示する。
【００３９】
デジタルカメラ１の認証部１０３及びデータ通信部１０５は、テレビ２と通信し、テレビ２がデータ通信可能なことを確認できない場合（ＳＴ１０１、ＮＯ）（ＳＴ１０２、ＮＯ）、制御部１０１は、画像送信処理を実行する（ＳＴ１０４）。つまり、制御部１０１は、ＨＤＭＩケーブルを介して、画像信号（非圧縮画像信号）をテレビ２へ送信する。テレビ２の映像送受信部２０６は、画像信号を受信し、必要に応じて、画像処理部２０９が、画像信号を処理（ダウンコンバート、アップコンバート、ダウンスケール、又はアップスケール）し、表示デバイス２０８が、処理された画像信号に基づき画像を表示する。
【００４０】
上記第１の条件ではなく、データ通信部１０５によるデータ通信処理を映像送受信部１０６による画像送信処理よりも優先し、データ通信処理が実行できる場合であっても画像送信処理も実行する第２の条件が設定されているケースについて補足する。この第２の条件が設定されている場合であって、デジタルカメラ１の認証部１０３及びデータ通信部１０５が、テレビ２と通信し、テレビ２がデータ通信可能なことを確認できた場合、制御部１０１は、データ通信処理及び画像送信処理を実行する。つまり、制御部１０１は、二つの伝送経路を使用し、画像データ及び画像信号をテレビ２へ送信する。この場合、データ通信処理及び画像送信処理を並行して実行してもよいし、どちらか一方の処理を先に実行し他方の処理を後で実行するようにしてもよい。
【００４１】
例えば、画像送信処理は、上記したようにＨＤＭＩに対応した画像送信処理であり、オリジナルの画質は維持されないかもしれないが、画像信号を高速に送信することができる。このため、テレビ２は、まず、画像送信処理（ＨＤＭＩ等）により受信した画像信号に基づき第１の画像を表示し、その後、データ通信処理（無線ＬＡＮ等）により受信した画像データをデコードして生成された画像信号に基づき第２の画像を表示する。つまり、テレビ２は、最初に、第１の画像を表示し、この第１の画像を第２の画像に切り換えて表示する。これにより、テレビ２は、画像表示までの時間を短縮することができるし、しかも、後に高画質画像を表示することもできる。
【００４２】
上記説明では、デジタルカメラ１からテレビ２で画像を送信する処理について説明したが、テレビ２からデジタルカメラ１へ画像を送信する処理も同様である。また、画像を送信する処理について説明したが、画像を受信する処理も同様である。例えば、テレビ２がデジタルカメラ１の画像を受信するケースについて説明する。前提条件として、データ通信部２０５によるデータ通信処理を映像送受信部２０６による画像受信処理よりも優先し、データ通信処理が実行できる場合には画像受信処理を実行しない第３の条件が設定されているケースについて説明する。
【００４３】
テレビ２の認証部２０３及びデータ通信部２０５は、デジタルカメラ１と通信し、デジタルカメラ１がデータ通信可能なことを確認できた場合、制御部２０１は、データ通信処理を実行する。つまり、データ通信部２０５は、有線ＬＡＮ又は無線ＬＡＮを介して、画像データ（静止画像データ）をオリジナルの画質のまま受信する。
【００４４】
テレビ２の認証部２０３及びデータ通信部２０５が、デジタルカメラ１と通信し、デジタルカメラ１がデータ通信可能なことを確認できない場合、制御部２０１は、画像受信処理を実行する。つまり、制御部２０１は、ＨＤＭＩケーブルを介して、画像信号（非圧縮画像信号）を受信する。
【００４５】
上記第３の条件ではなく、データ通信部２０５によるデータ通信処理を映像送受信部２０６による画像送信処理よりも優先し、データ通信処理が実行できる場合であっても画像送信処理も実行する第４の条件が設定されているケースについて補足する。この第４の条件が設定されている場合であって、テレビ２の認証部２０３及びデータ通信部２０５が、デジタルカメラ１と通信し、デジタルカメラ１がデータ通信可能なことを確認できた場合、制御部２０１は、データ通信処理及び画像送信処理を実行する。
【００４６】
次に、その他の条件について説明する。画像データの画質に応じて、データ通信部１０５によるデータ通信処理及び映像送受信部１０６による画像送信処理のうちの少なくとも一方の処理を優先する第５の条件が設定されているケースについて説明する。
【００４７】
デジタルカメラ１の認証部１０３及びデータ通信部１０５は、テレビ２と通信し、テレビ２がデータ通信可能なことを確認できた場合であって、且つ送信対象の画像データが高画質（例えば１０００万画素以上の画像データ）であった場合には、制御部１０１は、データ通信処理を実行する。或いは、制御部１０１は、データ通信処理及び画像送信処理を実行する。これにより、デジタルカメラ１からＴＶ２に対して、オリジナルの画質（高画質）の画像データを送信することができる。送信対象の画像データが高画質（例えば１０００万画素以上の画像データ）でない場合には、制御部１０１は、画像送信処理を実行する。
【００４８】
また、画像データの画質と画像送信処理による画質劣化レベルとに応じて、データ通信部１０５によるデータ通信処理及び映像送受信部１０６による画像送信処理のうちの少なくとも一方の処理を優先するようにしてもよい。例えば、500万画素程度の画像データを画像送信処理により送信した場合の画質劣化レベルを第１の画質劣化レベルとし、1000万画素程度の画像データを画像送信処理により送信した場合の画質劣化レベルを第２の画質劣化レベルとする。このような条件では、一般的に、第２の画質劣化レベルが第１の画質劣化レベルより高くなる。例えば、制御部１０１が、画質劣化レベルが高いと判断した場合に（第１の画質劣化レベル又は第２の画質劣化レベルを超えると判断した場合に）、データ通信処理を優先的に実行し、画質劣化レベルが高くないと判断した場合に、画像送信処理を優先的に実行する。
【００４９】
なお、上記説明した第５の条件が設定されているケースの送信処理の概念は、テレビ２からデジタルカメラ１へ画像を送信する送信処理にも適用できるし、デジタルカメラ１がテレビ２から画像を受信する受信処理にも適用できるし、テレビ２がデジタルカメラ１から画像を受信する受信処理にも適用できる。
【００５０】
続いて、映像送受信部１０６による画像送信処理を優先する第６の条件が設定されているケースについて説明する。
【００５１】
第６の条件が設定されている場合には、制御部１０１は、画像送信処理を実行する。或いは、制御部１０１は、データ通信処理及び画像送信処理を実行する。つまり、第６の条件が設定されている場合には、ＨＤＭＩ等の伝送経路により画像信号が送信される。つまり、デジタルカメラ１からＴＶ２に対して、高速に画像信号を送信することができ、ＴＶ２は直ぐにデジタルカメラ１からの画像を表示することができる。
【００５２】
なお、上記説明した第６の条件が設定されているケースの送信処理の概念は、テレビ２からデジタルカメラ１へ画像を送信する送信処理にも適用できるし、デジタルカメラ１がテレビ２から画像を受信する受信処理にも適用できるし、テレビ２がデジタルカメラ１から画像を受信する受信処理にも適用できる。
【００５３】
さらに、映像送受信部１０６がサポートしているデータフォーマットと、送受信対象となる画像データのデータフォーマットとを比較し、比較結果に応じて、データ通信処理及び画像送信処理のうちの一方の処理を優先的に実行することもできる。例えば、映像送受信部１０６がサポートしているデータフォーマットと、送受信対象となる画像データのデータフォーマットとが異なる場合には、データ通信処理を優先的に実行し、一致する場合には、画像送信処理を優先的に実行する。
【００５４】
また、デジタルカメラ１からテレビ２へ画像を送信する場合に、デジタルカメラ１の画像処理部１０９の画像処理能力に応じて、データ通信処理及び画像送信処理のうちの一方の処理を優先的に実行することもできる。また、デジタルカメラ１からテレビ２へ画像を送信する場合に、テレビ２の画像処理部２０９の画像処理能力に応じて、データ通信処理及び画像送信処理のうちの一方の処理を優先的に実行することもできる。また、デジタルカメラ１からテレビ２へ画像を送信する場合に、デジタルカメラ１の画像処理部１０９の画像処理能力とテレビ２の画像処理部２０９の画像処理能力とに応じて、データ通信処理及び画像送信処理のうちの一方の処理を優先的に実行することもできる。
【００５５】
例えば、デジタルカメラ１からテレビ２へ画像を送信する場合であって、テレビ２の画像処理部２０９の高解像度化処理能力が優れている場合には、画像送信処理を優先的に実行する。これにより、画像を高速に送信することができるし、たとえ低解像度化された画像信号を送信しても、テレビ２の画像処理部２０９が、低解像度化された画像信号を優れた高解像度化処理能力で高解像度化することができる。なお、テレビ２の画像処理部２０９の高解像度化処理能力が優れているとは、例えば、基準となる高解像度化処理能力より優れていることを言う。
【００５６】
また、デジタルカメラ１からテレビ２へ画像を送信する場合に、データ通信部１０５を介したデータ通信速度に応じて、データ通信処理及び画像送信処理のうちの一方の処理を優先的に実行することもできる。例えば、データ通信速度が遅い場合に、デジタルカメラ１は、画像送信処理を優先的に実行する。
【００５７】
上記したように、各種条件に応じて、デジタルカメラ１又はテレビ２は、データ通信処理及び画像送信処理のうちの一方の処理を優先的に実行する。或いは、デジタルカメラ１又はテレビ２は、データ通信処理及び画像受信処理のうちの一方の処理を優先的に実行する。また、デジタルカメラ１又はテレビ２は、上記した各種条件を組み合わせて総合的に優先的に実行する処理を判断することもできる。
【００５８】
例えば、デジタルカメラ１からテレビ２へ画像を送信する場合に、デジタルカメラ１が高速処理モードの実行要求を受け取ると、デジタルカメラ１はデータ通信処理及び画像送信処理を実行し、画像をテレビ２へ送信する。又は、デジタルカメラ１からテレビ２へ画像を送信する場合に、テレビ２が高速処理モードの実行要求を受け取ると、テレビ２はデータ通信処理及び画像受信処理を実行し、デジタルカメラ２から画像を受信する。
【００５９】
また、デジタルカメラ１からテレビ２へ画像を送信する場合に、デジタルカメラ１が高画質化処理モードの実行要求を受け取ると、デジタルカメラ１はデータ通信処理及び画像送信処理のうちの少なくとも一方の処理を実行し、画像をテレビ２へ送信する。又は、デジタルカメラ１からテレビ２へ画像を送信する場合に、テレビ２が高画質化処理モードの実行要求を受け取ると、テレビ２はデータ通信処理及び画像受信処理のうちの少なくとも一方を実行し、デジタルカメラ２から画像を受信する。
【００６０】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００６１】
１…デジタルカメラ、１０１…制御部、１０２…ストレージ、１０３…認証部、１０４…デコード部、１０５…データ通信部、１０６…映像送受信部、１０９…画像処理部、１１０…不揮発性メモリ、２…テレビ、２０１…制御部、２０２…ストレージ、２０３…認証部、２０４…デコード部、２０５…データ通信部、２０６…映像送受信部、２０７…出力処理部、２０８…表示デバイス、２０９…画像処理部、２１０…不揮発性メモリ
【図１】
0005597390.tif 000002
【図２】
0005597390.tif 000003
【図３】
0005597390.tif 000004
【図４】
0005597390.tif 000005